(57)【要約】【課題】本体を大型化することなく、遠隔操作信号の受信を所望の範囲に設定できる電子機器を提供する。【解決手段】電子機器は、外部から送信される遠隔操作信号を光透過面を介して透過するＩＲフィルタと、光透過面の中心を通る法線と、遠隔操作信号を受光する受光面の受光領域中心を通る法線とがオフセットされて設けられるＩＲ受光部とを有する。【選択図】図３
2009177725.tif 000002
【特許請求の範囲】
【請求項１】
外部から送信される遠隔操作信号を光透過面を介して透過する光透過部と、
前記光透過面の中心を通る法線と、前記遠隔操作信号を受光する受光面の受光領域中心を通る法線とがオフセットされて設けられる受光部とを有することを特徴とする電子機器。
【請求項２】
筐体に設けられ、外部から送信される遠隔操作信号を光透過面を介して透過する光透過部と、
前記筐体の内部に設けられ、前記光透過面の中心を通る法線と、前記遠隔操作信号を受光する受光面の受光領域中心を通る法線とがオフセットされて設けられる受光部とを有することを特徴とする電子機器。
【請求項３】
前記受光部は、前記筐体が所定の設置角で設置される場合、前記光透過部によって制限される受光範囲が前記設置角によって変動しないように、前記光透過面の中心を通る法線と、前記遠隔操作信号を受光する受光面の受光領域中心を通る法線とをオフセットして設けられることを特徴とする請求項２に記載の電子機器。
【請求項４】
前記受光部は、指向性を有する場合、前記指向性が前記受光範囲に一致するように前記筐体に対する取付角を設定することを特徴とする請求項３に記載の電子機器。
【請求項５】
筐体に設けられ、外部から送信される遠隔操作信号を光透過面を介して透過する光透過部と、
前記筐体の内部に設けられ、前記光透過部によって制限される受光範囲の中心方向が前記光透過面の中心を通る法線方向に対して非平行となるように設置される受光部とを有することを特徴とする電子機器。
【請求項６】
前記受光部は、前記光透過面の中心を通る法線と、前記受光面の受光領域中心を通る法線とがオフセットして設けられることを特徴とする請求項５に記載の電子機器。
【請求項７】
前記受光部は、前記光透過面の中心を通る法線と、前記受光面の受光領域中心を通る法線とが非平行となるように設けられることを特徴とする請求項５に記載の電子機器。
【発明の詳細な説明】
【技術分野】
【０００１】
本発明は、電子機器に関する。
【背景技術】
【０００２】
従来の技術として、受光範囲外の任意の位置から出力された遠隔操作信号を受信することができる電子機器がある（例えば、特許文献１参照）。
【０００３】
この電子機器は、遠隔操作信号を受信する受光部と、受光部を保持する受光部取付枠と、受光部取付枠に設けられた複数個の係止穴と、係止穴に挿入されて固定される折り曲げ自在の反射板とを有し、反射板の取付角度を調整することで、受光範囲外の任意の位置から出力された遠隔操作信号を反射板を介して受光範囲に取り込むことで、受光範囲外の遠隔操作信号を受光部が受信することができる。
【特許文献１】特開平８−１４５４４０号公報
【発明の開示】
【発明が解決しようとする課題】
【０００４】
しかし、従来の電子機器によると、反射板が受光部本体から突出して取り付けられるため、小型化に適していないという問題がある。
【０００５】
従って、本発明の目的は、本体を大型化することなく、遠隔操作信号の受信を所望の範囲に設定できる電子機器を提供することにある。
【課題を解決するための手段】
【０００６】
（１）本発明は上記目的を達成するため、外部から送信される遠隔操作信号を光透過面を介して透過する光透過部と、前記光透過面の中心を通る法線と、前記遠隔操作信号を受光する受光面の受光領域中心を通る法線とがオフセットされて設けられる受光部とを有することを特徴とする電子機器を提供する。
【０００７】
上記した構成によれば、従来一致させていた光透過面の受光領域中心を通る法線と、遠隔操作信号を受光する受光面の中心を通る法線とをオフセットしたため、オフセット量を変化させることにより遠隔操作信号の受光範囲を所望の範囲に設定できる。
【０００８】
（２）また、本発明は上記目的を達成するため、筐体に設けられ、外部から送信される遠隔操作信号を光透過面を介して透過する光透過部と、前記筐体の内部に設けられ、前記光透過面の中心を通る法線と、前記遠隔操作信号を受光する受光面の受光領域中心を通る法線とがオフセットされて設けられる受光部とを有することを特徴とする電子機器を提供する。
【０００９】
上記した構成によれば、（１）と同様の効果を筐体内部に設けられた受光部に対して得ることができる。
【００１０】
（３）また、本発明は上記目的を達成するため、筐体に設けられ、外部から送信される遠隔操作信号を光透過面を介して透過する光透過部と、前記筐体の内部に設けられ、前記光透過部によって制限される受光範囲の中心方向が前記光透過面の中心を通る法線方向に対して非平行となるように設置される受光部とを有することを特徴とする電子機器を提供する。
【００１１】
上記した構成によれば、光透過部によって制限される受光範囲の中心方向が光透過面の中心を通る法線方向に対して非平行となるように受光部を設置したため、遠隔操作信号の受光範囲を所望の範囲に設定できる。
【発明の効果】
【００１２】
本発明によれば、本体を大型化することなく、遠隔操作信号の受信を所望の範囲に設定できる。
【発明を実施するための最良の形態】
【００１３】
以下に、本発明の電子機器の実施の形態を、図面を参照して詳細に説明する。
【００１４】
［第１の実施の形態］
（電子機器の構成）
図１は、本発明の第１の実施の形態に係る電子機器を示す斜視図である。
【００１５】
電子機器１は、図示しないアンテナを介して外部より放送波を受信して映像を表示したり、内蔵された記憶部に記憶された音楽データや映像データを再生して音声や映像を出力できるマルチメディアプレイヤーであって、赤外線を用いて遠隔操作信号を出力するリモコン２により遠隔操作可能で、図示しないＡＣアダプタから電力供給を受けて動作するとともに、充電可能な内部電源により動作することもできる。また、電子機器１は、筐体１０内にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を格納し、正面１０ａに電子機器１の電源投入状態（電源オン／オフ）を切り替える電源スイッチ１１と、メニュー操作やボリューム操作、チャンネル切替操作等を行える複数のスイッチからなる操作部１１Ａと、文字や画像等を表示する液晶表示パネル等からなる表示部１２と、リモコン２の出力する赤外線の遠隔操作信号を受信する受信部１３とを有し、背面１０ｂに筐体１０を設置面に対して所定の角度で設置するためのスタンド１４を有する。なお、筐体１０の正面１０ａと背面１０ｂ、および上面１０ｃと下面１０ｄは、それぞれ平行であり筐体１０の断面が略長方形を成すように構成される。
【００１６】
リモコン２は、電子機器１の電源投入状態（電源オン／オフ）を切り替える電源スイッチ２０と、操作部１１Ａと同一の操作機能を有する複数のスイッチからなる操作部２０Ａと、電源スイッチ２０と操作部２０Ａの操作信号を赤外線を用いて遠隔操作信号として出力する送信部２１とを有する。
【００１７】
図２は、本発明の第１の実施の形態に係る電子機器の構成を示す断面図である。
【００１８】
電子機器１は、スタンド１４によって支持され、筐体１０の正面１０ａおよび背面１０ｂと設置面４とが設置角αをなすように設置される。また、筐体１０は、その一部に赤外光を選択的に透過する光透過部としてのＩＲ（ＩｎｆｒａＲｅｄ）フィルタ１３１を有し、内部に複数の電子部品を実装する基板１００と、ＩＲフィルタ１３１を透過して筐体１０内部に入射する赤外光を検出するＩＲ受光部１３０とを有する。また、ＩＲフィルタ１３１は、例えば、筐体１０に設けられたポリカーボネート等の透明の窓に赤外線透過率の良い塗料を塗布することで形成される。また、ＩＲ受光部１３０は、ＰＩＮフォトダイオード等を用いて構成され、基板１００に実装される。
【００１９】
また、ＩＲ受光部１３０の受光面、ＩＲフィルタ１３１の光透過面、および基板１００は、それぞれ筐体１０の正面１０ａおよび背面１０ｂに対して平行に取り付けられている。
【００２０】
受光範囲３は、リモコン２の送信部２１から送信される赤外光の遠隔操作信号がＩＲ受光部１３０に到達する範囲であり、ここではＩＲ受光部１３０を中心とした角度範囲を示す。なお、ＩＲ受光部１３０からの距離範囲は、ＩＲ受光部１３０の指向性や感度が影響するため、第２の実施の形態において詳しく説明する。また、受光範囲３は、ＩＲ受光部１３０とＩＲフィルタ１３１との位置関係、ＩＲフィルタ１３１のサイズ及び形状によって決定される。
【００２１】
（ＩＲ受光部及びＩＲフィルタの配置）
図３は、本発明の第１の実施の形態に係る電子機器の詳細な構成を示す断面図である。
【００２２】
ＩＲ受光部１３０、及びＩＲフィルタ１３１は、図３に示すｄ１、ｄ２、ｄ３によってそれらの位置関係が定義される。また、Ａは、ＩＲ受光部１３０の受光面１３０ａの受光領域中心を通る法線であり、Ｂは、ＩＲフィルタ１３１の光透過面１３１ａの中心を通る法線である。受光面１３０ａは有限の面積を有する受光領域を有するが、ここでは理想的にＡを通る点において遠隔操作信号を受光すると仮定する。
【００２３】
ｄ１は、ＩＲフィルタ１３１の幅であり、ｄ２は、ＩＲフィルタ１３１の光透過面１３１ａとＩＲ受光部１３０の受光面１３０ａとの距離であり、ｄ３は、ＩＲフィルタ１３１の光透過面１３１ａの中心を通る法線ＢとＩＲ受光部１３０の受光面１３０ａの中心を通る法線Ａとのオフセット量である。なお、本実施の形態においてＩＲフィルタ１３１は、筐体１０の正面１０ａから見たとき横長の略長方形であるものとし、縦幅ｄ１についてのみ説明するが、横幅に関しても同様に本発明を適用することができる。
【００２４】
受光範囲３は、ＩＲ受光部１３０の受光面１３０ａの中心を通る法線Ａからの角度β１、及びβ２によって定義される。β１、及びβ２は、それぞれｄ１、ｄ２、ｄ３を用いて、以下の式から求められる。
【数１】
2009177725.tif 000003
【数２】
2009177725.tif 000004
【００２５】
図４は、本発明の第１の実施の形態に係る電子機器の受光範囲の一例を示す概略図である。
【００２６】
受光範囲３は、図３において定義したｄ１、ｄ２、ｄ３、および設置角αに加え、ＩＲ受光部１３０の設置面からの設置高Ｈｒによって定まる。図４においては、受光範囲３の角度範囲を示すものとして、水平からの角度β３、およびβ４を用いて説明する。β３、およびβ４は、β１、β２、および設置角αから、β３＝β１−（９０−α）、β４＝β２＋（９０−α）と容易に求まる。
【００２７】
また、受光範囲３は、ＩＲ受光部１３０からの水平距離Ｄ１、およびＤ２と、Ｄ１における設置高Ｈｒから垂直下方向への距離Ｌ１と、垂直上方向への距離Ｈ１と、Ｄ２における設置高Ｈｒから垂直下方向への距離Ｌ２と、垂直上方向への距離Ｈ２を用いて表示される。
【００２８】
ＩＲ受光部１３０、及びＩＲフィルタ１３１は、ｄ１＝５．５ｍｍ、ｄ２＝４．７６ｍｍ、ｄ３＝０．７５ｍｍによって決定される位置関係を有し、ＩＲ受光部１３０の設置面４からの垂直方向の距離は０．０５ｍ、設置角α＝６０°であるとした場合、受光範囲３は、以下のように定められる。
【００２９】
受光範囲３の角度範囲は、β１＝３６．３°、β２＝２２．８°であるため、設置角α＝６０°を加味して、受光範囲３は、β３＝６．３°、β４＝５２．８°となる。また、受光範囲３は、Ｄ１＝１ｍの位置で、Ｌ１＝０．１１ｍ、Ｈ１＝１．３ｍとなる。また、Ｄ２＝２ｍの位置で、Ｌ２＝０．２２ｍ、Ｈ２＝２．６ｍとなる。例えば、設置面４が机上等である場合、ＩＲ受光部１３０からの水平方向の距離が約０．４５ｍの位置において、机上に置かれたリモコン２から送信される赤外線の操作信号を受信することができる。
【００３０】
なお、図４と同一条件下において、ＩＲ受光部１３０の中心とＩＲフィルタ１３１の中心とのオフセット量ｄ３が、ｄ３＝０の場合、β１＝β２＝３０°となり、受光範囲３は、β３＝０°、β４＝６０°となる。このような状態において、受光範囲３は、ＩＲ受光部１３０の設置高Ｈｒより下になることはなく、設置面４が机の上等である場合、机上に置かれたリモコン２から送信される赤外線を受信することができない。
【００３１】
（第１の実施の形態の効果）
上記した第１の実施の形態によると、ＩＲ受光部１３０の中心とＩＲフィルタ１３１の中心とをオフセットして配置することで受光範囲３を変更したため、ＩＲフィルタ１３１の形状を変更したり、大きくしたりすることなく、遠隔操作信号の受信を所望の範囲に設定できる。
【００３２】
［第２の実施の形態］
（ＩＲ受光部の指向性）
図５は、本発明の第２の実施の形態に係るＩＲ受光部の指向性の一例を示す概略図である。なお、以下の説明において、第１の実施の形態と同一の構成及び機能を有する部分については共通の符号を付している。
【００３３】
ＩＲ受光部１３０は、ＩＲ受光部１３０の受光面１３０ａの中心を通る法線Ａから角度範囲θにおける受光範囲３０と、角度範囲θ〜φにおける受光範囲３１とにおいて異なる感度を有する。例えば、θ＝３０°、φ＝４５°において受光範囲３０の距離範囲が４ｍであり、受光範囲３１の距離範囲が１ｍである。
【００３４】
第１の実施の形態において、例えば、図４に示すように、受光範囲３はＩＲ受光部１３０の水平から下にβ３＝６．３°に拡がるが、この受光範囲は、図５における受光範囲３１に相当する範囲であるため、距離範囲は１ｍである。
【００３５】
図６は、本発明の第２の実施の形態に係る電子機器の詳細な構成を示す断面図である。
【００３６】
ＩＲ受光部１３０は、基板１００Ａに実装されており、筐体１０に対して取付角δで取り付けられている。つまり、ＩＲフィルタ１３１の光透過面１３１ａの中心を通る法線Ｂと、ＩＲ受光部１３０の受光面１３０ａの中心を通る法線Ａとが取付角δをなして配置される。また、基板１００Ａは、フレキシブル基板１０１を介して基板１００と電気的に接続されている。
【００３７】
ＩＲ受光部１３０は、ＩＲ受光部１３０とＩＲフィルタ１３１との位置関係であるｄ１、ｄ２、ｄ３を決定した後、受光範囲３ＡにＩＲ受光部１３０の指向性を示す受光範囲３０ができるだけ広く含まれるように取付角δを決定する。例えば、第１の実施の形態と同様に、ｄ１＝５．５ｍｍ、ｄ２＝４．７６ｍｍ、ｄ３＝０．７５ｍｍである場合、δ＝６．３°〜７．２°に設定することにより受光範囲３Ａがすべて受光範囲３０と一致する。つまり、受光範囲３ＡのＩＲ受光部１３０の受光方向の中心からの角度範囲γ１及びγ２がそれぞれ受光範囲３０の角度範囲θよりなるべく大きくならないように取付角δを決定する。
【００３８】
（第２の実施の形態の効果）
上記した第２の実施の形態によると、第１の実施の形態の効果に加え、受光範囲３Ａ内に受光範囲３０ができるだけ広く含まれるように取付角δを決定したため、受光範囲３Ａの距離範囲が延長される範囲を拡げることができる。
【図面の簡単な説明】
【００３９】
【図１】本発明の第１の実施の形態に係る電子機器を示す斜視図である。
【図２】本発明の第１の実施の形態に係る電子機器の構成を示す断面図である。
【図３】本発明の第１の実施の形態に係る電子機器の詳細な構成を示す断面図である。
【図４】本発明の第１の実施の形態に係る電子機器の受光範囲の一例を示す概略図である。
【図５】本発明の第２の実施の形態に係るＩＲ受光部の指向性の一例を示す概略図である。
【図６】本発明の第２の実施の形態に係る電子機器の詳細な構成を示す断面図である。
【符号の説明】
【００４０】
１…電子機器、２…リモコン、３…受光範囲、３Ａ…受光範囲、４…設置面、１０…筐体、１０ａ…正面、１０ｂ…背面、１０ｃ…上面、１０ｄ…下面、１１…電源スイッチ、１１Ａ…操作部、１２…表示部、１３…受信部、１４…スタンド、２０…電源スイッチ、２０Ａ…操作部、２１…送信部、３０…受光範囲、３１…受光範囲、１００…基板、１００Ａ…基板、１０１…フレキシブル基板、１３０…ＩＲ受光部、１３０ａ…受光面、１３１…ＩＲフィルタ、１３１ａ…光透過面
【図１】
2009177725.tif 000005
【図２】
2009177725.tif 000006
【図３】
2009177725.tif 000007
【図４】
2009177725.tif 000008
【図５】
2009177725.tif 000009
【図６】
2009177725.tif 000010